(57)【要約】【課題】テレビジョン受像機を視聴しながら睡眠する際に、照明を消すだけで自動的にテレビジョン受像機が視聴環境に適した動作を行い、省電力を図ることを目的とする。【解決手段】映像信号処理部が処理した映像信号を出力する映像信号出力部と、音声信号処理部が処理した音声信号を出力する音声信号出力部と、視聴環境の照度を検出する照度センサーと、所定時間を計測するタイマー部と、映像信号出力部と音声信号出力部のオンオフを行う主電源と、照度センサーが視聴環境の照度が所定レベル以下になったことを検出してから、タイマー部が所定時間を計測したとき、映像信号処理部と音声信号処理部とを制御して、画像輝度と音量と低減させ、主電源のオフタイマーを設定する制御部とを備えることにより、就寝時にテレビジョン受像機を使用する際、自動的に視聴環境に適した調節や設定を行うため、省電力にも繋がるものである。【選択図】図１
2011182219.tif 000002
【特許請求の範囲】
【請求項１】
テレビジョン放送信号を受信するチューナーと、
前記チューナーが受信した映像信号を処理する映像信号処理部と、
前記映像信号処理部が処理した映像信号を出力する映像信号出力部と、
前記チューナーが受信した音声信号を処理する音声信号処理部と、
前記音声信号処理部が処理した音声信号を出力する音声信号出力部と、
視聴環境の照度を検出する照度センサーと、
所定時間を計測するタイマー部と、
前記映像信号出力部と前記音声信号出力部のオンオフを行う主電源と、
前記照度センサーが視聴環境の照度が所定レベル以下になったことを検出してから、前記タイマー部が所定時間を計測したとき、前記映像信号処理部と前記音声信号処理部とを制御して、画像輝度と音量と低減させ、前記主電源のオフタイマーを設定する制御部とを備えるテレビジョン受像機。
【発明の詳細な説明】
【技術分野】
【０００１】
本発明は照度センサーを利用した、視聴環境に適した動作を行うテレビジョン受像機に関するものである。特に、視聴者の就寝時における画面輝度、音声、オフタイマーの設定に関する機能である。
【背景技術】
【０００２】
まず、従来のテレビジョン受像機の構成について説明する。図４は、従来のテレビジョン受像機６０１の構成を示す図である。テレビジョン受像機６０１は、テレビジョン放送信号を受信するチューナー６０２と、チューナー６０２が受信した映像信号を処理する映像信号処理部６０３と、映像信号処理部６０３が処理した映像信号を出力する映像信号出力部６０４と、チューナー６０２が受信した音声信号を処理する音声信号処理部６０５と、音声信号処理部６０５が処理した音声信号を出力する音声信号出力部６０６と、リモコン６１１から送信された信号を受信するリモコン受光部６０７と、視聴環境の照度を検出する照度センサー６０８と、テレビジョン受像機６０１のオン/オフを行う主電源６０９と、上記の各構成を制御する制御部６１０とを有している。
【０００３】
リモコン６１１は、テレビジョン受像機６０１の電源のオン/オフを行うための電源キー、チャンネル選択を行うための数字キー、映像音声出力部に表示されたメニュー項目等の選択を行う矢印キーを有しており、各キーの操作により入力された指令に応じた赤外線信号を出力する。リモコン６１１から出力された赤外線信号は、テレビジョン受像機６０１のリモコン受光部６０７で受信される。
【０００４】
照度センサー６０８によって視聴環境の照度を感知し、その結果を用いて制御部６１０にて視聴環境に適した画面輝度制御を行うことができる。
【０００５】
図５は、従来のテレビジョン受像機６０１のフローチャートを示している。照度センサー６０８がテレビ周辺の視聴環境の照度を検出する（ステップＳ７０１）。制御部６１０は視聴環境の照度と画面輝度を関係付けた制御データを元に、照度センサー６０８が検出した照度から画面輝度を算出し、算出した画面輝度と現在設定されている画面輝度を比較する。（ステップＳ７０２）。
【０００６】
ステップＳ７０２において、算出した画面輝度と現在設定されている画面輝度を比較し、現在設定されている画面輝度が算出した画面輝度と同等の場合にはステップＳ７０１に戻り、同じ動作を繰り返す。現在設定されている画面輝度が算出した画面輝度と同等でない場合は、予め書き込んである制御データを元に制御部６１０が映像処理部６０３を用いて画面輝度を制御する（ステップＳ７０３）。その後、ステップＳ７０１に戻って同じ動作を繰り返す。
【先行技術文献】
【特許文献】
【０００７】
【特許文献１】特開平１０−２１０３８６号公報
【発明の概要】
【発明が解決しようとする課題】
【０００８】
しかしながら、前記従来の構成では、視聴環境の照度に対して画面輝度の制御を行っているが、音声の制御を行っていない。例えば、就寝時に画面輝度と音声とを低減するように制御したとき、画面輝度は自動的に低減されるが、音声は手動で音量調整を行わなければならない。また、就寝時に使用したとき、テレビジョン受像機をつけたまま睡眠してしまうという問題も生じる。
【０００９】
本発明は、前記従来の課題を解決するもので、テレビジョン受像機を視聴しながら睡眠する際に、照明を消すだけで自動的にテレビジョン受像機が視聴環境に適した動作を行い、省電力を図ることを目的とする。
【課題を解決するための手段】
【００１０】
前記従来の課題を解決するために、本発明のテレビジョン受像機は、テレビジョン放送信号を受信するチューナーと、チューナーが受信した映像信号を処理する映像信号処理部と、映像信号処理部が処理した映像信号を出力する映像信号出力部と、チューナーが受信した音声信号を処理する音声信号処理部と、音声信号処理部が処理した音声信号を出力する音声信号出力部と、視聴環境の照度を検出する照度センサーと、所定時間を計測するタイマー部と、映像信号出力部と音声信号出力部のオンオフを行う主電源と、照度センサーが視聴環境の照度が所定レベル以下になったことを検出してから、タイマー部が所定時間を計測したとき、映像信号処理部と音声信号処理部とを制御して、画像輝度と音量と低減させ、主電源のオフタイマーを設定する制御部とを備える。
【００１１】
本構成によって、就寝時にテレビジョン受像機を使用する際、自動的に視聴環境に適した調節や設定を行うため、省電力にも繋がるものである。
【発明の効果】
【００１２】
本発明のテレビジョン受像機によれば、テレビを見ながら就寝する際に、照明を消すだけで、自動的に視聴環境に適した画面輝度や音量に調節される。また、オフタイマーも設定されるため、テレビジョン受像機をつけたまま睡眠してしまうという事態を防ぐ効果がある。
【図面の簡単な説明】
【００１３】
【図１】本発明の実施例１におけるテレビジョン受像機の構成を示す図
【図２】本発明のおやすみモード設定画面を示す図
【図３】本発明のテレビジョン受像機における制御処理を示すフローチャート
【図４】従来のテレビジョン受像機の構成を示す図
【図５】従来のテレビジョン受像機における画面輝度制御処理を示すフローチャート
【発明を実施するための形態】
【００１４】
以下本発明を実施するための形態について、図面を参照しながら説明する。
【実施例１】
【００１５】
図１は、本発明の実施の形態におけるテレビジョン受像機１０１の構成を示す図である。テレビジョン受像機１０１は、テレビジョン放送信号を受信するチューナー１０２と、チューナー１０２が受信した映像信号を処理する映像信号処理部１０３と、映像信号処理部１０３が処理した映像信号を出力する映像信号出力部１０４と、チューナー１０２が受信した音声信号を処理する音声信号処理部１０５と、音声信号処理部１０５が処理した音声信号を出力する音声信号出力部１０６と、リモコン１１１から送信された信号を受信するリモコン受光部１０７と、視聴環境の照度を検出する照度センサー１０８と、一定時間を計測するタイマー部１０９と、テレビジョン受像機１０１のオン/オフを行う主電源１１２と、上記の各構成を制御する制御部１１０とを有している。
【００１６】
リモコン１１１は、テレビジョン受像機１０１の電源のオン/オフを行うための電源キー、チャンネル選択を行うための数字キー、映像音声出力部に表示されたメニュー項目等の選択を行う矢印キーを有しており、各キーの操作により入力された指令に応じた赤外線信号を出力する。リモコン１１１から出力された赤外線信号は、テレビジョン受像機１０１のリモコン受光部１０７で受信される。
【００１７】
照度センサー１０８によって視聴環境の照度を感知し、その結果を用いて制御部１１０にて視聴環境に適した画面輝度制御、音量調節制御、オフタイマー制御を行うことができる。
【００１８】
図２は、テレビジョン受像機１０１のメニュー画面の１つであるおやすみモードの設定画面１１３である。このおやすみモードの設定画面１１３は、例えば、リモコン１１１のメニューキーを押下し、各メニューの中から矢印キーを用いておやすみモード設定の項目を選択することにより、映像信号出力部１０４に表示される。おやすみモード設定１１４はおやすみモードのオン/オフ設定ができ、輝度調節１１５ではおやすみモード時の画面輝度の設定、音量調節１１６ではおやすみモード時の音量設定、オフタイマー１１７ではおやすみモード時にかかるオフタイマーの時間を設定することができる。
【００１９】
図３は、本発明の実施例１におけるテレビジョン受像機１０１のフローチャートを示している。照度センサー１０８が照度を検出する（ステップＳ２０１）。照度センサー１０８が検出した照度を制御部１１０が一定の照度レベル、例えば２０ルクス以下かどうかを判断する（ステップＳ２０２）。
【００２０】
ステップＳ２０２において、一定の照度レベル以下でない場合、ステップＳ２０１に戻る。ステップＳ２０２において、一定の照度レベル以下である場合、タイマー１０９が一定時間、例えば１０分が経過しかたを判断する（ステップＳ２０３）。
【００２１】
ステップＳ２０３において、一定時間が経過していない場合、ステップＳ２０１に戻る。ステップＳ２０３において、一定時間が経過したら、おやすみモード設定になる（ステップＳ２０４）。そして、おやすみモード設定画面１１３で予め設定していた画面輝度、音量、オフタイマーが設定される（ステップＳ２０５）。つまり、映像信号出力部１０４は予め設定していた画面輝度に制御され、音声信号出力部１０６は予め設定していた音量に制御され、タイマー１０９は予め設定していたオフタイマーが設定される。
【００２２】
照度センサー１０８が照度を検出する（ステップＳ２０６）。照度センサー１０８が検出した照度を制御部１１０が一定の照度レベル、例えば２０ルクス以下かどうかを判断する（ステップＳ２０７）。
【００２３】
ステップＳ２０７において、一定の照度レベル以下でない場合、おやすみモードは解除になり（ステップＳ２１０）、ステップＳ２０１に戻る。ステップＳ２０７において、一定の照度レベル以下である場合、タイマー１０９がオフタイマーの設定時間が経過したかどうかを判断する（ステップＳ２０８）。
【００２４】
ステップＳ２０８において、オフタイマーの設定時間が経過していない場合、ステップＳ２０６に戻る。ステップＳ２０８において、オフタイマーの設定時間が経過した場合、制御部１１０によってテレビジョン受像機１０１の主電源１１２をオフにする（ステップＳ２０９）。
【００２５】
かかる構成によれば、照度センサー１０８が一定の照度レベル以下になったときにおやすみモードになることにより、就寝時に最適な画面輝度及び音量に自動調整する事ができ、かつ、テレビジョン受像機１０１を付けたまま睡眠してしまう事態を防ぐことができる。
【産業上の利用可能性】
【００２６】
本発明にかかるテレビジョン受像機は、視聴環境を読み取り、自動的に視聴環境に適した調節や、動作が可能になるので、テレビを見ながら就寝する際に、就寝時に適した動作や、オフタイマーがかかることのよる省電力等として有用である。
【符号の説明】
【００２７】
１０１    本発明のテレビジョン受像機
１０２    チューナー
１０３    映像信号処理部
１０４    映像信号出力部
１０５    音声信号処理部
１０６    音声信号出力部
１０７    リモコン受光部
１０８    照度センサー
１０９    タイマー
１１０    制御部
１１１    リモコン
１１２    主電源
１１３    おやすみモード設定画面
１１４    おやすみモード設定ＯＮ／ＯＦＦ
１１５    おやすみモード輝度調節
１１６    おやすみモード音量調節
１１７    おやすみモードオフタイマー設定
【図１】
2011182219.tif 000003
【図２】
2011182219.tif 000004
【図３】
2011182219.tif 000005
【図４】
2011182219.tif 000006
【図５】
2011182219.tif 000007